(57)【要約】【課題】  本発明は枝針取付具に係り、釣針の針先の方向を定めて枝針を仕掛けの取付部位に簡単に取り付けることができる枝針取付具を提供することを目的とする。【解決手段】  請求項１に係る枝針取付具は、可撓性を有するシート材で釣針とハリスを有する枝針を収納する収納体を形成し、該収納体は、内部に前記ハリスを直線状に配して収納する左右一対の平面状の支持面を有することを特徴とする。そして、請求項２に係る発明は、請求項１に記載の枝針取付具に於て、前記収納体は、少なくとも下側が閉じられていることを特徴とし、請求項３に係る発明は、請求項１または請求項２に記載の枝針取付具に於て、前記収納体は、枝針が引き出し可能に開放方向へ付勢されていることを特徴とする。【選択図】    図５
2009131166.tif 000002
【特許請求の範囲】
【請求項１】
可撓性を有するシート材で釣針とハリスを有する枝針を収納する収納体を形成し、該収納体は、内部に前記ハリスを直線状に配して収納する左右一対の平面状の支持面を有することを特徴とする枝針取付具。
【請求項２】
前記収納体は、少なくとも下側が閉じられていることを特徴とする請求項１に記載の枝針取付具。
【請求項３】
前記収納体は、枝針が引き出し可能に開放方向へ付勢されていることを特徴とする請求項１または請求項２に記載の枝針取付具。
【請求項４】
前記収納体に、その一端側からハリスの端部が突出するように釣針とハリスを有する枝針を収納したことを特徴とする請求項１乃至請求項３のいずれか１項に記載の枝針取付具。
【請求項５】
一端側が開口するケース体内に、前記収納体が、一端側を突出させて収容されていることを特徴とする請求項１乃至請求項４のいずれか１項に記載の枝針取付具。
【請求項６】
前記ケース体から突出する収納体の一端側に、ハリスの端部が突出していることを特徴とする請求項５に記載の枝針取付具。
【発明の詳細な説明】
【技術分野】
【０００１】
本発明は枝針取付具に係り、詳しくは枝針を仕掛けに取り付ける時に、枝針の釣針の針先の向きを定めて簡単に取り付けることができる枝針取付具に関する。
【背景技術】
【０００２】
カワハギ釣りやシロギス釣り，ワカサギ釣り等の仕掛けに於て、釣針に比較的短いハリスが取り付いた枝針を幹糸（道糸）に複数連結する場合、従来はハリスを幹糸に直接縛っていたが、ハリスを幹糸に直接縛ってしまうと、幹糸が傷付き易いという不具合があった。
【０００３】
そこで、昨今では、幹糸に枝針を取り付ける取付部材として、特許文献１または図９に示すように、枝針１のハリス３を止着するハリス止め５が固着された合成樹脂製のビーズ玉７が広く使用されており、ビーズ玉７は中央に幹糸９が挿通する挿通孔１１が設けられている。
【０００４】
そして、幹糸９に複数のビーズ玉７を所定間隔を開けて配し、また、各ビーズ玉７の両側に幹糸９による結びコブ１３を作り、この結びコブ１３でビーズ玉７の上下動を阻止して幹糸９からの脱落防止を図っていた。また、図示しないがハリス３の後端側にも結びコブを作って、ハリス止め５からの枝針１の脱落防止を図っている。
【０００５】
ところで、上述の如く枝針１（ハリス３）をハリス止め５に取り付ける場合、釣針１５の針先１７が上に向くように取り付ける等、釣針の方向を釣りの状況に合わせて取り付けることが釣果を得る上で重要とされている。
【０００６】
しかし、ハリス３は可撓性を有する柔軟な合成樹脂の線材で形成されているため、ハリス止め５に止着する際にその方向が定まらず、ハリス３の端部を摘んでハリス止め５に取り付けようとしても、ハリス３の上下方向が定かでないため、釣針１５の針先１７の方向を定めて枝針１を取り付けることが非常に難しいのが実情であった。
【０００７】
また、特許文献２には、釣糸の先端に設けた釣針が人や周りの物品等に引っ掛かる危険を防止するため、釣針の不使用時には脱落しないようにシート内に粘着挟持して封じ込み、釣針の使用時にはシートを剥がして取り出せるようにした釣針保護シートとして、図１０に示すように釣糸１９の先端に取り付く釣針２１を二つ折り状に粘着挟持するための粘着剤層２３と、該粘着剤層２３の端部に非粘着性部２５を設けた釣針保護シート２７が開示されている。
【０００８】
更に、特許文献３には、図１１及び図１２に示すように所要の弾性力を備えた２枚の可撓性シート２９，３１を重合し、それらの外周部を接続することによって両可撓性シート２９，３１間に釣針収容部３３を形成すると共に、一方の可撓性シート３１面に、シート素材の可撓性を利用して釣針３５の出し入れが可能な開口部３７を開設した釣針用カバー３９が開示されている。尚、図１１中、４１は釣針３５に接続された釣糸である。
【特許文献１】特開２００１−１９７８５４号公報
【特許文献２】特開平１０−１９１８５９号公報
【特許文献３】実開昭６３−４５１８６号公報
【発明の開示】
【発明が解決しようとする課題】
【０００９】
しかし乍ら、図９，図１０の釣針保護シート２７や釣針用カバー３９を枝針の取付けに適用したとしても、これらは単にシート２７やカバー３９で釣針２１，３５を保護するために被覆したに過ぎず、釣糸１９，４１の方向性をシート２７やカバー３９で規制するものではないため、ハリス止めへの接続の際にハリスの方向が定まらず、釣針の針先の方向を定めて枝針を取り付けることが難しいのが実情である。
【００１０】
本発明は斯かる実情に鑑み案出されたもので、釣針の針先の方向を定めて枝針を仕掛けの取付部位に簡単に取り付けることができる枝針取付具を提供することを目的とする。
【課題を解決するための手段】
【００１１】
斯かる目的を達成するため、請求項１に係る枝針取付具は、可撓性を有するシート材で釣針とハリスを有する枝針を収納する収納体を形成し、該収納体は、内部に前記ハリスを直線状に配して収納する左右一対の平面状の支持面を有することを特徴とする。
【００１２】
そして、請求項２に係る発明は、請求項１に記載の枝針取付具に於て、前記収納体は、少なくとも下側が閉じられていることを特徴とし、請求項３に係る発明は、請求項１または請求項２に記載の枝針取付具に於て、前記収納体は、枝針が引き出し可能に開放方向へ付勢されていることを特徴とする。
【００１３】
また、請求項４に係る発明は、請求項１乃至請求項３のいずれか１項に記載の枝針取付具に於て、前記収納体に、その一端側からハリスの端部が突出するように釣針とハリスを有する枝針を収納したことを特徴とする。
【００１４】
更に、請求項５に係る発明は、請求項１乃至請求項４のいずれか１項に記載の枝針取付具に於て、一端側が開口するケース体内に、前記収納体が、一端側を突出させて収容されていることを特徴とし、請求項６に係る発明は、請求項５に記載の枝針取付具に於て、前記ケース体から突出する収納体の一端側に、ハリスの端部が突出していることを特徴とする。
【発明の効果】
【００１５】
各請求項に係る発明によれば、釣針の針先の方向を定めて枝針を簡単に仕掛けの取付部位に取り付けることができる。
【００１６】
そして、請求項４に係る発明によれば、収納体の一端側からハリスの端部が突出し、また、請求項６に係る発明によれば、収納体からハリスの端部が露出するため、夫々、作業性に優れた利点を有する。
【発明を実施するための最良の形態】
【００１７】
以下、本発明の実施形態を図面に基づいて詳細に説明する。
【００１８】
図１乃至図５は請求項１乃至請求項６の第一実施形態に係る枝針取付具を示し、図１乃至図３に於て、４３は１枚の可撓性を有し、透光性を有する合成樹脂製のシート材で、該シート材４３は交互に山折りと谷折りがなされて、谷折りされた内部にその左右に向かい合う一対の支持面４７ａ，４７ｂを有する収納部Ｓを有し、枝針４５が収納可能なように支持面４７ａ，４７ｂが鋭角に接して、収納部Ｓの長手方向に直線状に延びる底部４４が形成されて下側が閉じられた断面Ｖ字状の複数の収納体４７が、横方向に並列した形状とされている。
【００１９】
そして、各収納体４７内に、ハリス４９の一端側に釣針５１が取り付いた１本宛の枝針４５が、釣針５１の両側を平面状の支持面４７ａ，４７ｂで倒れないように支持してその針先５３を上に向けて収納されており、図１に示すようにハリス４９は釣針５１と共に支持面４７ａ，４７ｂに両側を支持され、また、底部４４に沿って、釣針５１の軸部５２の延長方向に捩られることなく直線状に配されている。
【００２０】
また、図示するように全てのハリス４９の他端側は収納体４７の一端側から外方へ僅かに突出し、その突出部位に結びコブ５５が設けられている。
【００２１】
尚、図１のように枝針４５が支持面４７ａ，４７ｂに挟持されて底部４４近傍で支持される他に、釣針５１の軸部５２とハリス４９が直線状に延びる底部４４に接して、これに沿って軸部５２とハリス４９が直線状に配されるようにしてもよい。
【００２２】
而して、既述したようにシート材４３は山折りと谷折りが交互になされた蛇腹状の構造上、シート材４３は延びる方向、換言すれば、Ｖ字状に接する支持面４７ａ，４７ｂが底部４４を中心に収納部Ｓの間隙が広がるように動いて収納体４７を開く方向に付勢力（復元力）が作用するが、斯かる付勢力に抗してシート材４３（収納体４７）は横方向（図３中、矢印Ａ，Ｂ方向）へ縮められて、仕掛けケース５７のケース本体５９内に収容されている。
【００２３】
図１に示すように仕掛けケース５７は、一端側に開口部６１が設けられた透明な硬質の合成樹脂からなる断面矩形状のケース体をなすケース本体５９と、該ケース本体５９と同一材料で形成されて前記開口部６１に取り付くキャップ６３とで構成されている。そして、既述したようにシート材４３（収納体４７）は横方向へ縮められてケース本体５９内に収容されているため、図３の如くシート材４３は収納体４７を開く方向への付勢力によってケース本体５９内部の左右の側面５９ａ，５９ｂに圧接しているが、図１に示すようにケース本体５９内の高さ寸法Ｈは、縮められて内部に収容されたシート材４３（収納体４７）の高さ寸法Ｈ１より僅かに大きく設定されている。
【００２４】
そして、斯様にケース本体５９内に収容されたシート材４３（収納体４７）は、枝針４５の釣針５１とハリス４９を共に収納できるように前後方向に長く形成され、その一端側が、後述するように指で摘んで引き出せる程度に開口部６１から僅かに突出し、そして、該一端側から前記結びコブ５５が設けられたハリス４９の他端側が、収納体４７の前端側に設けた開口部４８から突出しており、キャップ６３をケース本体５９から取り外すと、斯様に収納体４７からハリス４９が突出したシート材４３（収納体４７）が開口部６１から露出するようになっている。
【００２５】
尚、仕掛けケース５７が揺さぶられても、ケース本体５９内の上方が開口した断面Ｖ字状の各収納体４７内に収納された枝針４５の釣針５１が上下方向に向きを変えないように、収納体４７は該釣針５１に対して所定の寸法や開き角度に設定されている。また、シート材４３（収納体４７）が縮められてケース本体５９内に収容されているため、ハリス４９は収納体４７の左右の側面で軽く挟持されて、各収納体４７内に一直線状に保持されている。
【００２６】
本実施形態に係る枝針取付具６５はこのように構成されており、次に、図４及び図５に基づき前記枝針取付具６５を用いて枝針４５を幹糸６７に取り付ける方法を説明する。
【００２７】
図４に示すように、幹糸６７には従来と同様、ハリス止め６９が固着された合成樹脂製のビーズ玉７１が所定間隔を開けて複数取り付けられており、ビーズ玉７１には中央に幹糸６７が挿通する挿通孔（図示せず）が設けられている。
【００２８】
また、図示しないが各ビーズ玉７１の両側には幹糸６７による結びコブを作ってビーズ玉７１の上下動を阻止したり、ビーズ玉７１を幹糸６７に接着剤等で固定して、幹糸６７からの脱落防止を図っている。
【００２９】
而して、前記ハリス止め６９に枝針４５を取り付けるには、先ず、仕掛けケース５７からキャップ６３を取り外す。斯様にキャップ６３を取り外すと、各収納体４７からハリス４９が突出したシート材４３（収納体４７の前端側）が開口部６１から露出する。
【００３０】
そして、ケース本体５９からシート材４３（収納体４７）を指で摘んで適当量を引き出した後、図４及び図５に示すようにケース本体５９ごと握持し乍ら、シート材４３（収納体４７）を横方向から親指７３と人差し指７５で摘んで、収納体４７の開く方向の付勢力（復元力）に抗してシート材４３（収納体４７）を縮め、各枝針４５のハリス４９を支持面４７ａ，４７ｂを介して挟持する。
【００３１】
次いで、図４及び図５に示すようにシート材４３（収納体４７）から突出するハリス４９の１本の結びコブ５５をハリス止め６９の取付孔７７に上方から挿入した後、ケース本体５９ごとシート材４３を縮めたまま後方に引いて結びコブ５５を取付孔７７先端の幅狭な挟持部７９に引っ掛ける。この状態で、シート材４３（収納体４７）を摘んだ親指７３と人差し指７５を緩めると、収納体４７の開く方向の付勢力で収納部Ｓが広がり、前記挟持部７９にハリス４９（枝針４５）を残してケース本体５９とシート材４３（収納体４７）を抜き取ると、釣針５１の針先５３が上方を向いて枝針４５がハリス止め６９に取り付くこととなる。
【００３２】
このとき、収納部Ｓにてハリス４９及び釣針５１が収納体４７の前方に移動して、開口部４８を通って収納体４７の外に出される。
【００３３】
このように本実施形態によれば、一対の支持面４７ａ，４７ｂによって釣針５１の軸部５２の延長方向にハリス４９が直線状に配されて支持され、而も、釣針５１は軸部５２から針先５３にかけて両側が支持され、支持面４７ａ，４７ｂに沿って針先５３が上を向いた状態で配されているため、ハリス４９に対する釣針５１の向きが変わらずに平面状の支持面４７ａ，４７ｂに沿って方向付けされた状態で前方へ移動し、釣針５１の針先５３が上を向くように枝針４５を簡単にハリス止め６９に取り付けることができる利点を有する。
【００３４】
また、仕掛けケース５７からキャップ６３を取り外すと、各収納体４７から結びコブ５５が形成されたハリス４９が露出するため、作業性に優れた利点を有する。
【００３５】
尚、前記実施形態では、可撓性を有するシート材として合成樹脂を用いたが、その他、例えば可撓性を有するゴム製のシート材や紙製のシート材を用いてもよく、また、透光性を有し内部の枝針が外部から視認可能であれば半透明でもよいし、着色や模様が施されていてもよい。
【００３６】
図６乃至図８は請求項１乃至請求項６の第二実施形態に係る枝針取付具を示し、前記実施形態は、シート材４３を交互に山折り，谷折りして、枝針４５が収納可能な断面Ｖ字状の複数の収納体４７を横方向に並列したが、本実施形態は、前記シート材４３を用いて１本宛の枝針４５を収納する袋状の縦長な可撓性を有する収納体８１を横方向に複数並列したもので、各収納体８１は、左右一対の支持面８１ａ，８１ｂとこれらが鋭角に接して閉じられた底部８２と上部８４とからなる袋状の収納部Ｓを有し、一端側（前端側）に開口部８３が設けられ、該開口部８３から夫々、結びコブ５５が設けられたハリス４９が外方へ僅かに突出している。また、支持面８１ａ，８１ｂに支持されて各枝針４５は、釣針５１の針先５３を上に向けて収納体８１内に収納され、ハリス４９は釣針５１の軸部５２の延長方向に捩られることなく直線状に配されている。
【００３７】
そして、本実施形態は、斯様に袋状の縦長な可撓性を有する収納体８１を複数並列したシート材４３を横方向（図８中、矢印Ａ，Ｂ方向）へ縮めて、仕掛けケース５７のケース本体５９内に収容したもので、図８の如くシート材４３は、収納体８１り支持面８１ａ，８１ｂの間隙が大きくなって収納部Ｓを開く方向への付勢力（復元力）により、ケース本体５９内部の左右の側面５９ａ，５９ｂに圧接している。そして、図６に示すようにケース本体５９内の高さ寸法Ｈは、縮められて内部に収容されたシート材４３（収納体８１）の高さ寸法Ｈ２より僅かに大きく設定されている。
【００３８】
而して、斯様にケース本体５９内に収容されたシート材４３は、その一端側が、指で摘んで引き出せる程度に開口部６１から僅かに突出し、該一端側から結びコブ５５が設けられたハリス４９の他端側が収納体８１の開口部８３から突出しており、キャップ６３をケース本体５９から取り外すと、収納体８１の開口部８３からハリス４９が突出したシート材４３（収納体８１）が開口部６１から露出するようになっている。
【００３９】
尚、その他の構成は図１の実施形態と同様であるので、同一のものには同一符号を付してそれらの説明は省略する。
【００４０】
本実施形態に係る枝針取付具８５はこのように構成されているから、前記実施形態と同様、仕掛けケース５７からキャップ６３を取り外し、ケース本体５９からシート材４３（収納体８１）を指で摘んで適当量を引き出した後、ケース本体５９ごと握持し乍ら、シート材４３（収納体８１）を横方向から親指と人差し指で摘んでシート材４３（収納体８１）を縮め、収納部Ｓを閉じると支持面８１ａ，８１ｂは互いに平面状に変形して向かい合わせ状になって各枝針４５のハリス４９と釣針５１を挟持する。
【００４１】
次いで、収納体８１の開口部８３から突出するハリス４９の１本の結びコブ５５をハリス止めの取付孔に上方から挿入した後、ケース本体５９ごとシート材４３（収納体８１）を縮めたまま後方に引いて結びコブ５５を取付孔先端の幅狭な挟持部に引っ掛ける。この状態で、シート材４３（収納体８１）を摘んだ親指と人差し指を緩めて、前記挟持部にハリス４９（枝針４５）を残してケース本体５９とシート材４３（収納体８１）を抜き取ると、釣針５１の針先５３が上方を向いて枝針４５がハリス止めに取り付くこととなる。
【００４２】
このように本実施形態によっても、釣針５１が支持面８１ａ，８１ｂに支持され乍らこれに沿って前方へ移動し、ハリス４９に続いて収納体８１の前端側の開口部８３から外に出され、釣針５１の針先５３が上を向くように方向を定めて枝針４５を簡単にハリス止めに取り付けることができる。
【００４３】
また、本実施形態も、仕掛けケース５７からキャップ６３を取り外すと、各収納体８１から結びコブ５５が形成されたハリス４９が露出するため、作業性に優れた利点を有する。
【００４４】
尚、図１乃至図８の各実施形態は、夫々、仕掛けケース５７内に収納体４７，８１が形成されたシート材４３を収容したが、仕掛けケース５７を用いず、収納体４７，８１が形成されたシート材４３全体を枝針取付具とすることも可能である。
【図面の簡単な説明】
【００４５】
【図１】請求項１乃至請求項６の第一実施形態に係る枝針取付具の縦断面図である。
【図２】枝針取付具の横断面図である。
【図３】図１のIII−III線断面図である。
【図４】枝針取付具を用いた枝針の取付方法の説明図である。
【図５】枝針取付具を用いた枝針の取付方法の説明図である。
【図６】請求項１乃至請求項６の第二実施形態に係る枝針取付具の縦断面図である。
【図７】枝針取付具の横断面図である。
【図８】図６のVIII−VIII線断面図である。
【図９】ビーズ玉を用いた従来の枝針の取付状態の斜視図である。
【図１０】従来の釣針保護シートの展開図である。
【図１１】従来の釣針用カバーの全体斜視図である。
【図１２】図１１のXII−XII線断面図である。
【符号の説明】
【００４６】
４３  シート材
４５  枝針
４７，８１  収納体
４９  ハリス
５１  釣針
５３  針先
５５  結びコブ
５７  仕掛けケース
５９  ケース本体
６１，８３  開口部
６３  キャップ
６５，８５  枝針取付具
６７  幹糸
６９  ハリス止め
７１  ビーズ玉
７７  取付孔
７９  挟持部
【図１】
2009131166.tif 000003
【図２】
2009131166.tif 000004
【図３】
2009131166.tif 000005
【図４】
2009131166.tif 000006
【図５】
2009131166.tif 000007
【図６】
2009131166.tif 000008
【図７】
2009131166.tif 000009
【図８】
2009131166.tif 000010
【図９】
2009131166.tif 000011
【図１０】
2009131166.tif 000012
【図１１】
2009131166.tif 000013
【図１２】
2009131166.tif 000014